(57)【要約】【課題】  ＣＤ−Ｒなどの光ディスクには色素の塗りむらや反りなどの物理特性のばらつきがあるため、試し書きを行う領域と所望の情報の記録領域が離れている場合、記録条件が異なるため最適なレーザーパワーで記録ができず記録品質が落ちる。【解決手段】  ディスクに所望の情報を記録する時の最適記録レーザーパワー値を求める試し書きを行う時に、所望の情報の記録開始位置および記録終了位置に応じて、ディスクの内周側と外周側の試し書き領域のいずれか一方または両方に試し書きを行って最適な記録レーザーパワー値を求め、所望の情報の記録時にその記録中の位置に応じた試し書き領域における試し書きにより求められたレーザーパワー値で記録を行うことにより、高品質の記録ができる。【選択図】  図２
2005209241.tif 000002
【特許請求の範囲】
【請求項１】
円盤状の記録媒体にレーザー光を照射することにより所望の情報の記録を行い、前記所望の情報の記録前に、前記記録媒体に試し書きを行って前記所望の情報の記録時のレーザー光の最適記録レーザーパワー値を求める記録装置であって、
前記最適記録レーザーパワー値を記憶する第１の記憶手段と、前記記録媒体を内周側と外周側の２つの径方向ゾーンに分割する径方向分割位置を記憶する第２の記憶手段とを備え、
前記第２の記憶手段に記憶された前記径方向分割位置に基づいて判別される前記記録媒体に所望の情報の記録を開始する径方向の位置を含む前記径方向ゾーンおよび所望の情報の記録を終了する径方向の位置を含む前記径方向ゾーンに応じて、前記内周側の径方向ゾーン内で前記記録媒体の最内周に設けられている試し書き領域と前記外周側の径方向ゾーン内で前記記録媒体の最外周に設けられている試し書き領域とのうちのいずれか一方または両方を選択して試し書きを行い、前記各々の径方向ゾーン内の試し書き領域で求められた最適記録レーザーパワー値を前記第１の記憶手段に記憶し、前記所望の情報の記録時に、記録中の位置を含む径方向ゾーン内の試し書き領域で求められた前記第１の記憶手段に記憶されている最適記録レーザーパワー値に基づくレーザー光の照射による記録を行うことを特徴とする記録装置。
【請求項２】
最内周および最外周に試し書き領域を有する円盤状の記録媒体にレーザー光を照射して、所望の情報の記録前に前記試し書き領域に試し書きを行い、前記レーザー光を記録に最適なレーザーパワー値に設定する記録方法であり、
前記記録媒体への所望の情報の記録中の位置が前記記録媒体を径方向に２つのゾーンに分割する径方向分割位置より内側の場合は、前記記録媒体の最内周に位置する試し書き領域における試し書きにより求められたレーザーパワー値で前記記録媒体に記録を行い、前記記録媒体への記録中の位置が前記径方向分割位置より外側の場合は、前記記録媒体の最外周に位置する試し書き領域における試し書きにより求められたレーザーパワー値で前記記録媒体に記録を行うことを特徴とする記録方法。
【請求項３】
円盤状の記録媒体にレーザー光を照射することにより所望の情報の記録を行い、前記所望の情報の記録前に、前記記録媒体に試し書きを行って前記所望の情報の記録時のレーザー光の最適記録レーザーパワー値を求める記録装置であって、
前記最適記録レーザーパワー値を記憶する記憶手段と、前記記録媒体を回転させるディスクモータの角回転位置を示す矩形波状のＦＧ信号を生成するＦＧ生成手段と、前記ＦＧ信号のエッジを検出するエッジ検出手段とを備え、
前記エッジ検出手段で検出される前記ＦＧ信号のエッジ位置に関連付けて前記記録媒体を回転角方向に任意の複数の回転角方向ゾーンに分割し、前記記録媒体に所望の情報の記録を開始する回転角方向の位置を含む前記回転角方向ゾーンから前記所望の情報の記録を終了する回転角方向の位置を含む前記回転角方向ゾーンまでの各々の回転角方向ゾーン内の試し書き領域で試し書きを行い、前記各々の回転角方向ゾーン内の試し書き領域で求められた最適記録レーザーパワー値を前記記憶手段に記憶し、前記所望の情報の記録時に、記録中の位置を含む回転角方向ゾーン内の試し書き領域で求められた前記記憶手段に記憶されている最適記録レーザーパワー値に基づくレーザー光の照射による記録を行うことを特徴とする記録装置。
【請求項４】
最内周および最外周またはどちらか一方に試し書き領域を有する円盤状の記録媒体にレーザー光を照射して、所望の情報の記録前に前記試し書き領域に試し書きを行い、前記レーザー光を記録に最適なレーザーパワー値に設定する記録方法であり、
前記記録媒体を回転させるディスクモータの角回転位置を示す短形波状のＦＧ信号のエッジ位置に基づいて前記記録媒体を複数の回転角方向ゾーンに分割する分割工程を有し、前記記録媒体への所望の情報の記録時における前記レーザー光のレーザーパワー値は記録中の位置を含む回転角方向ゾーン内の試し書き領域における試し書きにより求められたレーザーパワー値に設定する記録方法。
【請求項５】
最内周および最外周またはどちらか一方に試し書き領域を有しており、かつ回転角方向に分割され複数の回転角方向ゾーンを有する円盤状の記録媒体にレーザー光を照射して、所望の情報の記録前に前記試し書き領域に試し書きを行い、前記レーザー光を記録に最適なレーザーパワー値に設定する記録方法であり、
前記記録媒体への所望の情報の記録時における前記レーザー光のレーザーパワー値は記録中の位置を含む回転角方向ゾーン内の試し書き領域における試し書きにより求められたレーザーパワー値に設定する記録方法。
【請求項６】
前記ＦＧ生成手段で生成される前記ＦＧ信号を任意の整数で逓倍する逓倍器を更に設け、前記エッジ検出手段は前記逓倍器で逓倍されたＦＧ信号のエッジを検出するようにしたことを特徴とする請求項３記載の記録装置。
【請求項７】
最内周および最外周またはどちらか一方に試し書き領域を有する円盤状の記録媒体にレーザー光を照射して、所望の情報の記録前に前記試し書き領域に試し書きを行い、前記レーザー光を記録に最適なレーザーパワー値に設定する記録方法であり、
前記記録媒体を回転させるディスクモータの角回転位置を示す短形波状のＦＧ信号を任意の整数で逓倍する逓倍工程と、前記逓倍工程によって逓倍されたＦＧ信号のエッジ位置に基づいて前記記録媒体を複数の回転角方向ゾーンに分割する分割工程とを有し、前記記録媒体への所望の情報の記録時における前記レーザー光のレーザーパワー値は記録中の位置を含む回転角方向ゾーン内の試し書き領域における試し書きにより求められたレーザーパワー値に設定する記録方法。
【請求項８】
円盤状の記録媒体にレーザー光を照射することにより所望の情報の記録を行い、前記所望の情報の記録前に、前記記録媒体に試し書きを行って前記所望の情報の記録時のレーザー光の最適記録レーザーパワー値を求める記録装置であって、
前記最適記録レーザーパワー値を記憶する第１の記憶手段と、前記記録媒体を内周側と外周側の２つのゾーンに分割する径方向分割位置を記憶する第２の記憶手段と、前記記録媒体を回転させるディスクモータの角回転位置を示す矩形波状のＦＧ信号を生成するＦＧ生成手段と、前記ＦＧ信号のエッジを検出するエッジ検出手段とを備え、
前記第２の記憶手段に記憶された前記径方向分割位置に基づいて分割される前記記録媒体の２つのゾーンをさらに前記エッジ検出手段で検出される前記ＦＧ信号のエッジ位置に関連付けて回転角方向に任意の複数のゾーンに分割し、前記試し書きは前記分割したすべてのゾーン内の試し書き領域で行い、前記各々のゾーン内の試し書き領域で求められた最適記録レーザーパワー値を前記第１の記憶手段に記憶し、前記所望の情報の記録時に、記録中の位置を含むゾーン内の試し書き領域で求められた前記第１の記憶手段に記憶されている最適記録レーザーパワー値に基づくレーザー光の照射による記録を行うことを特徴とする記録装置。
【請求項９】
前記記録媒体は最内周および最外周の両方に試し書き領域を有しており、
前記記録媒体への記録中の位置が前記記録媒体を径方向に２つのゾーンに分割する径方向分割位置より内側の場合は、前記記録媒体の最内周に位置する試し書き領域における試し書きにより求められたレーザーパワー値で前記記録媒体に記録を行い、前記記録媒体への記録中の位置が前記径方向分割位置より外側の場合は、前記記録媒体の最外周に位置する試し書き領域における試し書きにより求められたレーザーパワー値で前記記録媒体に記録を行う請求項４または請求項５記載の記録方法。
【請求項１０】
前記ＦＧ生成手段で生成される前記ＦＧ信号を任意の整数で逓倍する逓倍器を更に設け、前記エッジ検出手段は前記逓倍器で逓倍されたＦＧ信号のエッジを検出するようにしたことを特徴とする請求項８記載の記録装置。
【請求項１１】
前記記録媒体は最内周および最外周の両方に試し書き領域を有しており、
前記記録媒体への記録中の位置が前記記録媒体を径方向に２つのゾーンに分割する径方向分割位置より内側の場合は、前記記録媒体の最内周に位置する試し書き領域における試し書きにより求められたレーザーパワー値で前記記録媒体に記録を行い、前記記録媒体への記録中の位置が前記径方向分割位置より外側の場合は、前記記録媒体の最外周に位置する試し書き領域における試し書きにより求められたレーザーパワー値で前記記録媒体に記録を行う請求項７記載の記録方法。
【請求項１２】
最内周および最外周に試し書き領域を有する円盤状の記録媒体にレーザー光を照射することにより所望の情報の記録を行い、前記所望の情報の記録前に、前記記録媒体に試し書きを行って前記所望の情報の記録時のレーザー光の最適記録レーザーパワー値を求める記録装置であって、
前記最適記録レーザーパワー値を記憶する第１の記憶手段と、前記記録媒体を内周側と外周側の２つのゾーンに分割する径方向分割位置を記憶する第２の記憶手段と、前記記録媒体を回転させるディスクモータの角回転位置を示す矩形波状のＦＧ信号を生成するＦＧ生成手段と、前記ＦＧ信号のエッジを検出するエッジ検出手段とを備え、
前記第２の記憶手段に記憶された前記径方向分割位置に基づいて分割される前記記録媒体の２つのゾーンをさらに前記エッジ検出手段で検出される前記ＦＧ信号のエッジ位置に関連付けて回転角方向に任意の複数のゾーンに分割し、前記記録媒体に所望の情報の記録を開始する位置を含む前記ゾーンから前記所望の情報の記録を終了する位置を含む前記ゾーンまでの前記所望の情報の記録に使用される各々のゾーン内の試し書き領域で試し書きを行い、前記各々のゾーン内の試し書き領域で求められた最適記録レーザーパワー値を前記第１の記憶手段に記憶し、前記所望の情報の記録時に、記録中の位置を含むゾーン内の試し書き領域で求められた前記第１の記憶手段に記憶されている最適記録レーザーパワー値に基づくレーザー光の照射による記録を行うようにし、
前記記録媒体が書き換え不可能な記録媒体である場合に、前記記録媒体の前記所望の情報の記録に使用される任意のゾーン内の前記試し書き領域で前記試し書きができないときに、前記試し書きができない試し書き領域の近傍の試し書き領域で前記試し書きを行い、前記近傍の試し書き領域で求められた最適記録レーザーパワー値を前記任意のゾーンにおける最適記録レーザーパワー値として前記第１の記憶手段に記憶することを特徴とする記録装置。
【請求項１３】
前記記録媒体が書き換え不可能な記録媒体である場合に、前記記録媒体の前記所望の情報の記録に使用される任意の回転角方向ゾーン内の前記試し書き領域で前記試し書きができないときに、前記試し書きができない試し書き領域の近傍の試し書き領域で前記試し書きを行い、前記近傍の試し書き領域で求められた最適記録レーザーパワー値を前記任意の回転角方向ゾーンにおける最適記録レーザーパワー値として前記記憶手段に記憶することを特徴とする請求項３記載の記録装置。
【請求項１４】
前記ＦＧ生成手段で生成される前記ＦＧ信号を任意の整数で逓倍する逓倍器を更に設け、前記エッジ検出手段は前記逓倍器で逓倍されたＦＧ信号のエッジを検出するようにしたことを特徴とする請求項項１２または請求項１３記載の記録装置。
【請求項１５】
前記記録媒体の任意の回転角方向ゾーンにおける試し書き領域が試し書き不可能な時、前記試し書き不可能な試し書き領域が位置する回転角方向ゾーンの近傍の回転角方向ゾーン内の試し書き領域に試し書きを行い、前記任意の回転角方向ゾーンにおける記録時の前記レーザー光を前記近傍の回転角方向ゾーン内の試し書き領域における試し書きにより求められたレーザーパワー値に設定する請求項４、５、７、９または１１記載の記録方法。
【発明の詳細な説明】
【技術分野】
【０００１】
本発明は、ＣＤ−Ｒ（Ｃｏｍｐａｃｔ  Ｄｉｓｃ−Ｒｅｃｏｒｄａｂｌｅ）ディスクや、ＣＤ−ＲＷ（Ｃｏｍｐａｃｔ  Ｄｉｓｃ−ＲｅＷｒｉｔａｂｌｅ）ディスクなどの記録可能な光ディスクの記録装置および記録方法に関する。
【背景技術】
【０００２】
近年、ＣＤ−Ｒなどの追記型光ディスクやＣＤ−ＲＷなどの書き換え可能な光ディスクに情報を記録する光ディスク装置において、線速度一定（ＣＬＶ）記録型光ディスクの記録方法として、標準の線速度（１倍速）よりも高い線速度で記録する高倍速記録が用いられている。ＣＤ−ＲやＣＤ−ＲＷにはオレンジブックなどの規格に基づいて、試し書き（ＯＰＣ：Ｏｐｔｉｍｕｍ  Ｐｏｗｅｒ  Ｃｏｎｔｒｏｌ）を行う領域（ＰＣＡ：Ｐｏｗｅｒ  Ｃａｌｉｂｒａｔｉｏｎ  Ａｒｅａ）が用意されている。光ディスクの記録の際には最適記録レーザーパワー値を求めるために、記録媒体の本番記録前にＰＣＡにて予めＯＰＣが行われるが、光ディスクの最外周にＰＣＡを用意してＯＰＣを行えるような光ディスク装置（例えば、特許文献１参照）も提案されている。また、高倍速記録時の記録品質を高めるために、光ディスクの内周と外周の両方でＯＰＣを行うような方法（例えば、特許文献２参照）も提案されている。
【特許文献１】特開２００２−１７５６２４号公報
【特許文献２】特開２００１−３３１９４０号公報
【発明の開示】
【発明が解決しようとする課題】
【０００３】
ＣＤ−Ｒなどの光ディスクには色素の塗りむらや反りなどの物理特性のばらつきがあるため、ＯＰＣを行う領域と本番の記録領域が離れている場合、記録条件が異なるため最適なレーザーパワーで記録ができず記録品質が落ちる、などの課題がある。
【０００４】
本発明は上記の点に鑑みてなされたもので、試し書きで最適記録レーザーパワー値を高精度に求め、本番の記録を高品質に行える記録装置および記録方法を提供することを目的とする。
【課題を解決するための手段】
【０００５】
本発明の請求項１記載の記録装置は、円盤状の記録媒体にレーザー光を照射することにより所望の情報の記録を行い、所望の情報の記録前に、記録媒体に試し書きを行って所望の情報の記録時のレーザー光の最適記録レーザーパワー値を求める記録装置であって、最適記録レーザーパワー値を記憶する第１の記憶手段と、記録媒体を内周側と外周側の２つの径方向ゾーンに分割する径方向分割位置を記憶する第２の記憶手段とを備え、第２の記憶手段に記憶された径方向分割位置に基づいて判別される記録媒体に所望の情報の記録を開始する径方向の位置を含む径方向ゾーンおよび所望の情報の記録を終了する径方向の位置を含む径方向ゾーンに応じて、内周側の径方向ゾーン内で記録媒体の最内周に設けられている試し書き領域と外周側の径方向ゾーン内で記録媒体の最外周に設けられている試し書き領域とのうちのいずれか一方または両方を選択して試し書きを行い、各々の径方向ゾーン内の試し書き領域で求められた最適記録レーザーパワー値を第１の記憶手段に記憶し、所望の情報の記録時に、記録中の位置を含む径方向ゾーン内の試し書き領域で求められた第１の記憶手段に記憶されている最適記録レーザーパワー値に基づくレーザー光の照射による記録を行うことを特徴とする。
【０００６】
本発明の請求項２記載の記録方法は、最内周および最外周に試し書き領域を有する円盤状の記録媒体にレーザー光を照射して、所望の情報の記録前に試し書き領域に試し書きを行い、レーザー光を記録に最適なレーザーパワー値に設定する記録方法であり、記録媒体への所望の情報の記録中の位置が記録媒体を径方向に２つのゾーンに分割する径方向分割位置より内側の場合は、記録媒体の最内周に位置する試し書き領域における試し書きにより求められたレーザーパワー値で記録媒体に記録を行い、記録媒体への記録中の位置が径方向分割位置より外側の場合は、記録媒体の最外周に位置する試し書き領域における試し書きにより求められたレーザーパワー値で記録媒体に記録を行うことを特徴とする。
【０００７】
請求項１、２の発明によれば、試し書きを行う領域と所望の情報の記録領域の径方向に対する記録条件の差を吸収し、分割した径方向ゾーンの各ゾーンに最適な記録レーザーパワー値を精度良く求めることができるので、所望の情報を高品質に記録できる。
【０００８】
本発明の請求項３記載の記録装置は、円盤状の記録媒体にレーザー光を照射することにより所望の情報の記録を行い、所望の情報の記録前に、記録媒体に試し書きを行って所望の情報の記録時のレーザー光の最適記録レーザーパワー値を求める記録装置であって、最適記録レーザーパワー値を記憶する記憶手段と、記録媒体を回転させるディスクモータの角回転位置を示す矩形波状のＦＧ信号を生成するＦＧ生成手段と、ＦＧ信号のエッジを検出するエッジ検出手段とを備え、エッジ検出手段で検出されるＦＧ信号のエッジ位置に関連付けて記録媒体を回転角方向に任意の複数の回転角方向ゾーンに分割し、記録媒体に所望の情報の記録を開始する回転角方向の位置を含む回転角方向ゾーンから所望の情報の記録を終了する回転角方向の位置を含む回転角方向ゾーンまでの各々の回転角方向ゾーン内の試し書き領域で試し書きを行い、各々の回転角方向ゾーン内の試し書き領域で求められた最適記録レーザーパワー値を記憶手段に記憶し、所望の情報の記録時に、記録中の位置を含む回転角方向ゾーン内の試し書き領域で求められた記憶手段に記憶されている最適記録レーザーパワー値に基づくレーザー光の照射による記録を行うことを特徴とする。
【０００９】
本発明の請求項４記載の記録方法は、最内周および最外周またはどちらか一方に試し書き領域を有する円盤状の記録媒体にレーザー光を照射して、所望の情報の記録前に試し書き領域に試し書きを行い、レーザー光を記録に最適なレーザーパワー値に設定する記録方法であり、記録媒体を回転させるディスクモータの角回転位置を示す短形波状のＦＧ信号のエッジ位置に基づいて記録媒体を複数の回転角方向ゾーンに分割する分割工程を有し、記録媒体への所望の情報の記録時におけるレーザー光のレーザーパワー値は記録中の位置を含む回転角方向ゾーン内の試し書き領域における試し書きにより求められたレーザーパワー値に設定する。
【００１０】
本発明の請求項５記載の記録方法は、最内周および最外周またはどちらか一方に試し書き領域を有しており、かつ回転角方向に分割され複数の回転角方向ゾーンを有する円盤状の記録媒体にレーザー光を照射して、所望の情報の記録前に試し書き領域に試し書きを行い、レーザー光を記録に最適なレーザーパワー値に設定する記録方法であり、記録媒体への所望の情報の記録時におけるレーザー光のレーザーパワー値は記録中の位置を含む回転角方向ゾーン内の試し書き領域における試し書きにより求められたレーザーパワー値に設定する。
【００１１】
請求項３〜５の発明によれば、記録媒体１周内の記録条件のばらつきを吸収し、分割した回転角方向ゾーンの各ゾーンに最適な記録レーザーパワー値を精度良く求めることができるので、所望の情報を高品質に記録できる。
【００１２】
本発明の請求項６記載の記録装置は、請求項３記載の記録装置において、ＦＧ生成手段で生成されるＦＧ信号を任意の整数で逓倍する逓倍器を更に設け、エッジ検出手段は逓倍器で逓倍されたＦＧ信号のエッジを検出するようにしたことを特徴とする。
【００１３】
本発明の請求項７記載の記録方法は、最内周および最外周またはどちらか一方に試し書き領域を有する円盤状の記録媒体にレーザー光を照射して、所望の情報の記録前に試し書き領域に試し書きを行い、レーザー光を記録に最適なレーザーパワー値に設定する記録方法であり、記録媒体を回転させるディスクモータの角回転位置を示す短形波状のＦＧ信号を任意の整数で逓倍する逓倍工程と、逓倍工程によって逓倍されたＦＧ信号のエッジ位置に基づいて記録媒体を複数の回転角方向ゾーンに分割する分割工程とを有し、記録媒体への所望の情報の記録時におけるレーザー光のレーザーパワー値は記録中の位置を含む回転角方向ゾーン内の試し書き領域における試し書きにより求められたレーザーパワー値に設定する。
【００１４】
請求項６、７の発明によれば、記録媒体１周内の記録条件のばらつきを吸収し、分割した回転角方向ゾーンの各ゾーンに最適な記録レーザーパワー値をさらに精度良く求めることができるので、所望の情報をさらに高品質に記録できる。
【００１５】
本発明の請求項８記載の記録装置は、円盤状の記録媒体にレーザー光を照射することにより所望の情報の記録を行い、所望の情報の記録前に、記録媒体に試し書きを行って所望の情報の記録時のレーザー光の最適記録レーザーパワー値を求める記録装置であって、最適記録レーザーパワー値を記憶する第１の記憶手段と、記録媒体を内周側と外周側の２つのゾーンに分割する径方向分割位置を記憶する第２の記憶手段と、記録媒体を回転させるディスクモータの角回転位置を示す矩形波状のＦＧ信号を生成するＦＧ生成手段と、ＦＧ信号のエッジを検出するエッジ検出手段とを備え、第２の記憶手段に記憶された径方向分割位置に基づいて分割される記録媒体の２つのゾーンをさらにエッジ検出手段で検出されるＦＧ信号のエッジ位置に関連付けて回転角方向に任意の複数のゾーンに分割し、試し書きは分割したすべてのゾーン内の試し書き領域で行い、各々のゾーン内の試し書き領域で求められた最適記録レーザーパワー値を第１の記憶手段に記憶し、所望の情報の記録時に、記録中の位置を含むゾーン内の試し書き領域で求められた第１の記憶手段に記憶されている最適記録レーザーパワー値に基づくレーザー光の照射による記録を行うことを特徴とする。
【００１６】
本発明の請求項９記載の記録方法は、請求項４または請求項５記載の記録方法において、記録媒体は最内周および最外周の両方に試し書き領域を有しており、記録媒体への記録中の位置が記録媒体を径方向に２つのゾーンに分割する径方向分割位置より内側の場合は、記録媒体の最内周に位置する試し書き領域における試し書きにより求められたレーザーパワー値で記録媒体に記録を行い、記録媒体への記録中の位置が径方向分割位置より外側の場合は、記録媒体の最外周に位置する試し書き領域における試し書きにより求められたレーザーパワー値で記録媒体に記録を行う。
【００１７】
請求項８、９の発明によれば、記録媒体の径方向に２分割および回転角方向に複数に分割した各ゾーンに最適な記録レーザーパワー値を精度良く求めることができるので、所望の情報を高品質に記録できる。また、同一の記録媒体に対する２度目以降の所望の情報記録時には、保存されていた最適記録レーザーパワー値を使用することにより、使用回数に限度がある試し書き領域を有効利用できると同時に記録時間の短縮ができる。
【００１８】
本発明の請求項１０記載の記録装置は、請求項８記載の記録装置において、ＦＧ生成手段で生成されるＦＧ信号を任意の整数で逓倍する逓倍器を更に設け、エッジ検出手段は逓倍器で逓倍されたＦＧ信号のエッジを検出するようにしたことを特徴とする。
【００１９】
本発明の請求項１１記載の記録方法は、請求項７記載の記録方法において、記録媒体は最内周および最外周の両方に試し書き領域を有しており、記録媒体への記録中の位置が記録媒体を径方向に２つのゾーンに分割する径方向分割位置より内側の場合は、記録媒体の最内周に位置する試し書き領域における試し書きにより求められたレーザーパワー値で記録媒体に記録を行い、記録媒体への記録中の位置が径方向分割位置より外側の場合は、記録媒体の最外周に位置する試し書き領域における試し書きにより求められたレーザーパワー値で記録媒体に記録を行う。
【００２０】
請求項１０、１１の発明によれば、記録媒体の径方向に２分割されるとともに任意の整数で逓倍されたＦＧ信号のエッジ位置に基づいて回転角方向に複数に分割されたゾーンとすることにより、各ゾーンに最適な記録レーザーパワー値をさらに精度良く求めることができるので、所望の情報をさらに高品質に記録できる。また、同一の記録媒体に対する２度目以降の所望の情報記録時には、保存されていた最適記録レーザーパワー値を使用することにより、使用回数に限度がある試し書き領域を有効利用できると同時に記録時間の短縮ができる。
【００２１】
本発明の請求項１２記載の記録装置は、最内周および最外周に試し書き領域を有する円盤状の記録媒体にレーザー光を照射することにより所望の情報の記録を行い、所望の情報の記録前に、記録媒体に試し書きを行って所望の情報の記録時のレーザー光の最適記録レーザーパワー値を求める記録装置であって、最適記録レーザーパワー値を記憶する第１の記憶手段と、記録媒体を内周側と外周側の２つのゾーンに分割する径方向分割位置を記憶する第２の記憶手段と、記録媒体を回転させるディスクモータの角回転位置を示す矩形波状のＦＧ信号を生成するＦＧ生成手段と、ＦＧ信号のエッジを検出するエッジ検出手段とを備え、第２の記憶手段に記憶された径方向分割位置に基づいて分割される記録媒体の２つのゾーンをさらにエッジ検出手段で検出されるＦＧ信号のエッジ位置に関連付けて回転角方向に任意の複数のゾーンに分割し、記録媒体に所望の情報の記録を開始する位置を含むゾーンから所望の情報の記録を終了する位置を含むゾーンまでの所望の情報の記録に使用される各々のゾーン内の試し書き領域で試し書きを行い、各々のゾーン内の試し書き領域で求められた最適記録レーザーパワー値を第１の記憶手段に記憶し、所望の情報の記録時に、記録中の位置を含むゾーン内の試し書き領域で求められた第１の記憶手段に記憶されている最適記録レーザーパワー値に基づくレーザー光の照射による記録を行うようにし、記録媒体が書き換え不可能な記録媒体である場合に、記録媒体の所望の情報の記録に使用される任意のゾーン内の試し書き領域で試し書きができないときに、試し書きができない試し書き領域の近傍の試し書き領域で試し書きを行い、近傍の試し書き領域で求められた最適記録レーザーパワー値を任意のゾーンにおける最適記録レーザーパワー値として第１の記憶手段に記憶することを特徴とする。
【００２２】
請求項１２の発明によれば、書き換え不可能な記録媒体の分割した任意のゾーン内の試し書き領域で試し書きができない場合でも、近傍の回転角方向に分割した試し書き領域で試し書きを行うことができるので、分割した回転角方向の記録条件の差が小さくなり、高品質に記録できる。
【００２３】
本発明の請求項１３記載の記録装置は、請求項３記載の記録装置において、記録媒体が書き換え不可能な記録媒体である場合に、記録媒体の所望の情報の記録に使用される任意の回転角方向ゾーン内の試し書き領域で試し書きができないときに、試し書きができない試し書き領域の近傍の試し書き領域で試し書きを行い、近傍の試し書き領域で求められた最適記録レーザーパワー値を任意の回転角方向ゾーンにおける最適記録レーザーパワー値として記憶手段に記憶することを特徴とする。
【００２４】
請求項１３の発明によれば、書き換え不可能な記録媒体の回転角方向に分割した任意の試し書き領域で試し書きができない場合でも、近傍の回転角方向に分割した試し書き領域で試し書きを行うことができるので、分割した回転角方向の記録条件の差が小さくなり、高品質に記録できる。
【００２５】
本発明の請求項１４記載の記録装置は、請求項１２または請求項１３記載の記録装置において、ＦＧ生成手段で生成されるＦＧ信号を任意の整数で逓倍する逓倍器を更に設け、エッジ検出手段は逓倍器で逓倍されたＦＧ信号のエッジを検出するようにしたことを特徴とする。
【００２６】
請求項１４の発明によれば、任意の整数で逓倍されたＦＧ信号のエッジ位置に基づいて回転角方向に分割された小さなゾーンとすることにより、各ゾーンに最適な記録レーザーパワー値をさらに精度良く求めることができ、所望の情報をさらに高品質に記録できる。また、書き換え不可能な記録媒体の回転角方向に分割した任意の試し書き領域で試し書きができない場合でも、近傍の回転角方向に細かく分割した試し書き領域で試し書きを行うことができるので、分割した回転角方向の記録条件の差がさらに小さくなり、高品質に記録できる。
【００２７】
本発明の請求項１５記載の記録方法は、請求項４、５、７、９または１１記載の記録方法において、記録媒体の任意の回転角方向ゾーンにおける試し書き領域が試し書き不可能な時、試し書き不可能な試し書き領域が位置する回転角方向ゾーンの近傍の回転角方向ゾーン内の試し書き領域に試し書きを行い、任意の回転角方向ゾーンにおける記録時のレーザー光を近傍の回転角方向ゾーン内の試し書き領域における試し書きにより求められたレーザーパワー値に設定する。
【００２８】
請求項１５の発明によれば、書き換え不可能な記録媒体の分割した任意のゾーン内の試し書き領域で試し書きができない場合でも、近傍の回転角方向に分割した試し書き領域で試し書きを行うことができるので、分割した回転角方向の記録条件の差が小さくなり、高品質に記録できる。
【発明の効果】
【００２９】
以上のように本発明によれば、記録媒体の色素の塗りむらや反りなどの物理特性のばらつきに関係なく、常に情報記録時の最適記録レーザーパワー値を得ることができ、高品質の記録ができる。
【発明を実施するための最良の形態】
【００３０】
以下、本発明の実施の形態について、図面を用いて説明する。
【００３１】
（実施の形態１）
本発明の実施の形態１の記録装置について説明する。
【００３２】
図１は実施の形態１の記録装置の構成を示すブロック図である。この記録装置は、ＣＤ−ＲやＣＤ−ＲＷなどの記録可能な光ディスク１の記録面に情報の記録時と再生時にレーザー光を照射する光ピックアップ２と、光ピックアップ２からの信号を検出する信号処理部３と、光ディスク１を所定の回転速度で回転させるディスクモータ４と、ディスクモータ４の回転数を可変することにより回転速度を制御する回転制御部５と、光ピックアップ２のフォーカス、トラッキング、送りの各制御を行い、また、記録装置全体を制御し、以下で説明するこの発明に係る光ディスク１の所定の領域で情報記録時の最適記録レーザーパワー値を求める処理（ＯＰＣに関する処理）を行い、その最適記録レーザーパワー値で光ディスク１に情報を記録するようにレーザー駆動回路７を制御するシステム制御コントローラ６と、システム制御コントローラ６から送られる命令によって光ピックアップ２のレーザー光の照射を制御するレーザー駆動回路７と、光ディスク１の識別情報と径方向に２分割する位置と情報記録時の最適記録レーザーパワー値とを記憶しておく記憶装置８とを備えている。
【００３３】
次に、この記録装置の情報の記録時と再生時の動作の概略について説明する。記録可能な光ディスク１に情報を記録する時、システム制御コントローラ６が回転制御部５に回転速度を命令すると所定の回転速度でディスクモータ４を駆動し、その回転速度で光ディスク１を回転させる。また、システム制御コントローラ６が光ピックアップ２を光ディスク１上の記録位置まで移動させる。そして、レーザー駆動回路７によって光ディスク1上の記録面にレーザー光を照射してシステム制御コントローラ６から受け取った情報を記録する。一方、光ディスク１に記録されている情報を再生する時、システム制御コントローラ６からの再生時の出力値でレーザー駆動回路７が光ピックアップ２からレーザー光を照射し、その反射光に応じた信号を信号処理部３が検出してシステム制御コントローラ６へ送って各種のデータを再生する。
【００３４】
次に、この記録装置における光ディスク１への所望の情報記録時のＯＰＣに関する処理を図１のブロック図と図２のフローチャートと図３の光ディスク１の記録領域を径方向に２分割した場合の一例とを用いて説明する。図３において、３１は内周側ＰＣＡ（内周側試し書き領域）、３２は内周側記録領域、３３は外周側記録領域、３４は外周側ＰＣＡ（外周側試し書き領域）である。
【００３５】
図２のＳ１で光ディスク１がこの記録装置に最初に挿入されたときに、この光ディスク１の種類を判別し、その識別情報と外周側ＰＣＡ３４の有無の判別結果を記憶装置８に保存し、Ｓ２へ進む。Ｓ２でシステム制御コントローラ６から記録命令が発行されるまで待つ。システム制御コントローラ６が記憶装置８から光ディスク１の外周側ＰＣＡ３４の有無の結果を読み出し、外周側ＰＣＡ３４がない場合は、Ｓ６へ進みシステム制御コントローラ６が光ピックアップ２を内周側ＰＣＡ３１に移動して、既に試し書きに使用された領域の確認後、試し書きを行い、その試し書きした領域を再生して最適記録レーザーパワー値（Ｐｉｎ）を求めて、記憶装置８に記憶する。一方、Ｓ３で外周側ＰＣＡ３４がある場合は、Ｓ４へ進み所望の情報の記録開始位置が内周側記録領域３２でない場合は、Ｓ８へ進みシステム制御コントローラ６が光ピックアップ２を外周側ＰＣＡ３４に移動して、既に試し書きに使用された領域の確認後、試し書きを行い、その試し書きした領域を再生して最適記録レーザーパワー値（Ｐｏｕｔ）を求めて、記憶装置８に記憶する。一方、Ｓ４で記録開始位置が内周側記録領域３２の場合は、Ｓ５へ進み記録終了位置も内周側記録領域３２の場合は、Ｓ６へ進みシステム制御コントローラ６が光ピックアップ２を内周側ＰＣＡ３１に移動して、既に試し書きに使用された領域の確認後、試し書きを行い、その試し書きした領域を再生して最適記録レーザーパワー値（Ｐｉｎ）を求めて、記憶装置８に記憶する。一方、Ｓ５で記録終了位置が内周側記録領域３２でない場合は、Ｓ７へ進みシステム制御コントローラ６が光ピックアップ２を内周側ＰＣＡ３１に移動して、既に試し書きに使用された領域の確認後、試し書きを行い、その試し書きした領域を再生して最適記録レーザーパワー値（Ｐｉｎ）を求めて、記憶装置８に記憶し、さらに、システム制御コントローラ６が光ピックアップ２を外周側ＰＣＡ３４に移動して、既に試し書きに使用された領域の確認後、試し書きを行い、その試し書きした領域を再生して最適記録レーザーパワー値（Ｐｏｕｔ）を求めて、記憶装置８に記憶する。これでＯＰＣの全工程は終了し、所望の情報の記録が可能となる。
【００３６】
次にＳ９でシステム制御コントローラ６が光ピックアップ２を所望の情報の記録開始位置に移動して記録を開始し、Ｓ１０へ進む。Ｓ１０で２つに分割したゾーンのうち、内周側記録領域３２か外周側記録領域３３のどちらかのゾーンにしか記録を行わない場合には、Ｓ１３へ進み所望の情報記録終了まで記録を続ける。この時の最適記録レーザーパワー値は、内周側記録領域３２ではＳ６で求められたＰｉｎとし、外周側記録領域３３ではＳ８で求められたＰｏｕｔとする。所望の情報記録が終了すれば再びＳ２へ進み、次の記録命令が発行されるのを待つ。一方、Ｓ１０で２つの径方向に分割したゾーンにまたがる記録をする場合、Ｓ１１へ進み内周側記録領域３２ではＳ６で求められたＰｉｎを最適記録レーザーパワー値として所望の情報記録を行い、現在の記録位置が記憶装置８に記憶されているゾーン分割位置を越えたときＳ１２へ進む。Ｓ１２でＳ７で求められたＰｏｕｔをシステム制御コントローラ６が記憶装置８から読み出し、最適記録レーザーパワー値としてＰｉｎからＰｏｕｔに切り替えて所望の情報記録を行い、Ｓ１３へ進み所望の情報記録終了まで記録を続ける。所望の情報記録が終了すれば再びＳ２へ進み、次の記録命令が発行されるのを待つ。
【００３７】
本実施の形態１では、光ディスク１は内周側から順次外周側へ記録されていくので、Ｓ８の処理を行う場合、すなわちＳ４で所望の情報の記録開始位置が内周側記録領域３２ではなく、外周側記録領域３３である場合は、記録終了位置も外周側記録領域３３である。
【００３８】
以上のように実施の形態１によれば、試し書きを行う領域と所望の情報の記録領域の径方向に対する記録条件の差を吸収し、分割した径方向ゾーンの各ゾーンに最適な記録レーザーパワー値を精度良く求め、それを用いて所望の情報の記録を行うので、高品質に記録できる。
【００３９】
なお、記録領域のゾーンの分割位置は半径で決めても良いし、アドレスで決めても良い。
【００４０】
なお、図２のＳ１において、判別する光ディスク１の種類とは、追記（書き換え不可）型ディスク（ＣＤ−Ｒなど）と書き換え型ディスク（ＣＤ−ＲＷなど）の２種類であり、この光ディスク１の種類の判別は、光ディスク１がドライブに挿入され、ディスクが回転し、フォーカスＯＮまでにから得られた反射光量などの信号をもとにや、トラッキングＯＮ後に光ディスク上に埋め込まれている情報を読み取る等の方法により、システム制御コントローラ６が判別する（このディスクの判別方法については各種方法が公知であり、ここではどのような判別方法かは問わない）。また、外周側ＰＣＡ３４の有無は、光ディスク上に外周側ＰＣＡ領域の有無情報（正確には外周側ＰＣＡ領域の開始アドレス）が埋め込まれており、システム制御コントローラ６でその情報をデコードして判別する。また、光ディスク１の識別情報とは、光ディスクの製造メーカー（ディスクの製造メーカーによって試し書きの初期レーザーパワー値が異なるため）、その他ディスク上に埋め込まれている最適記録パワーを求めるために必要な（規格で定められた）パラメータなどである。
【００４１】
また、図２のＳ３での判定は、Ｓ１で光ディスク１の判別と外周側ＰＣＡ領域の有無判別を行った結果からシステム制御コントローラ６が判定する。
【００４２】
また、図２のＳ４、Ｓ５、Ｓ１０での判定は、記録開始位置と終了位置はシステム制御コントローラ６で指定するので、システム制御コントローラ６によってゾーン分割位置との比較を行い判定する。
【００４３】
また、本実施の形態１での図２のＳ６、Ｓ７、Ｓ８等を含め、以降の実施の形態２〜８での最適記録レーザーパワー値の求め方の一例について説明しておく。
【００４４】
最適記録レーザーパワー値は再生時のエラーレートが最小になるレーザーパワー値とする。
【００４５】
図１９（ａ）に示すように、まず、開発段階においてレーザーパワーを可変させて光ディスクに記録を行い、その光ディスク再生時のエラーレートと光ディスクの反射信号から演算して得られる「β」という指標の関係を求める。そこで、エラーレートが最小となるβを最適記録レーザーパワー値を求める時の目標値として製品の記憶手段に記憶しておく。
【００４６】
記録装置の動作としては、まずＰＣＡ領域に移動して再生を行い過去に試し書きが行われた領域の有無を確認して、使用済みの領域を記憶しておく。その後、試し書きは基本的に未使用領域で行う。ＣＤ−ＲＷなどの書き換え可能型ディスクの場合はテスト領域がすべて使用済みでも消去することにより再使用が可能である。
【００４７】
最適記録レーザーパワー値の求め方として、例えば、目標が「β＝０」とする。そしてて図１９（ｂ）に示すように、９８：００：００から９８：００：０８までのそれぞれの位置に５ｍＷから１３ｍＷまでのそれぞれのレーザーパワー値で試し書きを行い、試し書きされた部分を再生した結果、それぞれのβが得られたとする。ここで、β＝０となるのはレーザーパワーが７ｍＷと８ｍＷの間に存在するので、例えば一次の直線近似を用いて最適記録レーザーパワー値は７．５ｍＷとなる。
【００４８】
（実施の形態２）
本発明の実施の形態２の記録装置について説明する。
【００４９】
図４は実施の形態２の記録装置の構成を示すブロック図である。この記録装置は、ＣＤ−ＲやＣＤ−ＲＷなどの記録可能な光ディスク１の記録面に情報の記録時と再生時にレーザー光を照射する光ピックアップ２と、光ピックアップ２からの信号を検出する信号処理部３と、光ディスク１を所定の回転速度で回転させるディスクモータ４と、ディスクモータ４の回転数を可変することにより回転速度を制御する回転制御部５と、光ピックアップ２のフォーカス、トラッキング、送りの各制御を行い、また、記録装置全体を制御し、以下で説明するこの発明に係る光ディスク１の所定の領域で情報記録時の最適記録レーザーパワー値を求める処理（ＯＰＣに関する処理）を行い、その最適記録レーザーパワー値で光ディスク１に情報を記録するようにレーザー駆動回路７を制御するシステム制御コントローラ６と、システム制御コントローラ６から送られる命令によって光ピックアップ２のレーザー光の照射を制御するレーザー駆動回路７と、情報記録時の最適記録レーザーパワー値を記憶しておく記憶装置８と、ディスクモータ４の信号を基にディスクモータ４より生成される角回転位置を示す矩形波状のＦＧ信号を生成するＦＧ生成部９と、ＦＧ信号のエッジを検出するエッジ検出部１０を備えている。
【００５０】
この記録装置の情報の記録時と再生時の動作の概略は実施の形態１と同様である。
【００５１】
次に、この記録装置における光ディスク１への所望の情報記録時のＯＰＣに関する処理を図４のブロック図と図５のフローチャートと図６の光ディスク１の１周を６分割した場合の一例とを用いて説明する。図６はＦＧ信号がディスク１周につき６パルス出力される時の例で、この６パルスについて1パルス毎に０〜５までの回転角方向のゾーン番号を付与する。図６において、０ＰＣＡ〜５ＰＣＡはそれぞれゾーン０〜５のＰＣＡ（試し書き領域）である。
【００５２】
図５のＳ３１でディスクモータ４を回転させＦＧ生成部９でＦＧ信号を生成し、Ｓ２へ進む。Ｓ２でシステム制御コントローラ６から記録命令が発行されるまで待つ。Ｓ２でシステム制御コントローラから記録命令が発行され、例えば、記録開始位置がゾーン０で、記録終了位置がゾーン４とすると、Ｓ３２へ進み、処理番号Ｎを初期化し、Ｓ３３へ進む。Ｓ３３ではエッジ検出部１０でＦＧ信号の立下りエッジを検出するまで待ち、立ち下がりエッジが検出されれば、システム制御コントローラ６でカウントしているゾーンを１つ進め、Ｓ３４へ進む。Ｓ３４で現在位置が６分割したゾーンのうちの目標ゾーン（ゾーン０）でなければＳ３３へ進み、次のＦＧ信号の立下りエッジがエッジ検出部１０で検出されるのを待つ。一方、Ｓ３４で現在位置が６分割したゾーンのうちの目標ゾーン（ゾーン０）であれば、Ｓ３５へ進み、処理番号Ｎを確認する。処理番号Ｎが０の場合はＳ３６へ進み使用済み領域の確認を開始して、Ｓ４７へ進み、処理番号Ｎを１追加して目標ゾーンをゾーン５とし、Ｓ３３へ進む。同様に立下りエッジが検出され、現在位置がゾーン５であればＳ３７へ進み使用済み領域の確認を終了し、Ｓ３８へ進む。Ｓ３８でゾーン０からゾーン５までの各々のゾーンの使用済み領域の位置を記憶装置８に記憶する。続いてＳ４７で処理番号Ｎを１追加して目標ゾーンをゾーン０とし、Ｓ３３へ進む。同様に立下りエッジが検出され、現在位置がゾーン０であればＳ３９へ進み試し書きを開始して、Ｓ４７へ進み、処理番号Ｎを１追加して目標ゾーンをゾーン４とし、Ｓ３３へ進む。同様に立下りエッジが検出され、現在位置がゾーン４であればＳ４０へ進み試し書きを終了し、処理番号Ｎを１追加して目標ゾーンをゾーン０とし、Ｓ３３へ進む。同様に立下りエッジが検出され、現在位置がゾーン０であればＳ４１へ進み試し書きした領域の再生を開始し、処理番号Ｎを１追加して目標ゾーンをゾーン４とし、Ｓ３３へ進む。同様に立下りエッジが検出され、現在位置がゾーン４であればＳ４２へ進み試し書きした領域の再生を終了し、Ｓ４３へ進む。Ｓ４３でゾーン０からゾーン４までの各々のゾーンの最適記録レーザーパワー値をシステム制御コントローラ６で演算して求め、それらの値を記憶装置８に記憶する。
【００５３】
続いてＳ４７で処理番号Ｎを１追加して目標ゾーンをゾーン０とし、Ｓ３３へ進む。同様に立下りエッジが検出され、現在位置がゾーン０であればＳ４４へ進みゾーン０の最適記録レーザーパワー値で所望の情報記録を開始し、処理番号Ｎを１追加して目標ゾーンをゾーン４とし、Ｓ３３へ進む。同様に立下りエッジが検出され、現在位置がゾーン４になるまではＳ４５へ進み、立下りエッジの検出と同時にシステム制御コントローラ６が記憶装置８から読み出した各々のゾーンの最適記録レーザーパワー値に切り替えて所望の情報記録を継続し、処理番号Ｎを１追加してＳ３３へ進む。同様に立下りエッジが検出され、現在位置がゾーン４であればＳ４６へ進み所望の情報記録を終了し再びＳ２へ進み、次の記録命令が発行されるのを待つ。
【００５４】
上記の場合、Ｓ４４からＳ４６までの間に記録される所望の情報は、ゾーン０の位置から記録が開始され、ゾーン１、ゾーン２、ゾーン３、ゾーン４の位置まで記録されて終了する例を説明している。この場合に試し書きは、Ｓ３９で開始されてＳ４０で終了するまでに、所望の情報の記録範囲（ゾーン０からゾーン１、ゾーン２、ゾーン３、ゾーン４まで）の各ゾーンの試し書き領域（０ＰＣＡ、１ＰＣＡ、２ＰＣＡ、３ＰＣＡ、４ＰＣＡ）に行われ、Ｓ４１からＳ４２までの間に試し書きした領域（０ＰＣＡ、１ＰＣＡ、２ＰＣＡ、３ＰＣＡ、４ＰＣＡ）の再生が行われる。
【００５５】
また、例えば記録範囲が光ディスク１の１周以上の場合で、記録開始位置がゾーン０で、記録終了位置がゾーン４とすると、Ｓ３２へ進み、処理番号Ｎを初期化し、Ｓ３３へ進む。Ｓ３３ではエッジ検出部１０でＦＧ信号の立下りエッジを検出するまで待ち、立ち下がりエッジが検出されれば、システム制御コントローラ６でカウントしているゾーンを１つ進め、Ｓ３４へ進む。Ｓ３４で現在位置が６分割したゾーンのうちの目標ゾーン（ゾーン０）でなければＳ３３へ進み、次のＦＧ信号の立下りエッジがエッジ検出部１０で検出されるのを待つ。一方、Ｓ３４で現在位置が６分割したゾーンのうちの目標ゾーン（ゾーン０）であれば、Ｓ３５へ進み、処理番号Ｎを確認する。処理番号Ｎが０の場合はＳ３６へ進み使用済み領域の確認を開始して、Ｓ４７へ進み、処理番号Ｎを１追加して目標ゾーンをゾーン５とし、Ｓ３３へ進む。同様に立下りエッジが検出され、現在位置がゾーン５であればＳ３７へ進み使用済み領域の確認を終了し、Ｓ３８へ進む。Ｓ３８でゾーン０からゾーン５までの各々のゾーンの使用済み領域の位置を記憶装置８に記憶する。続いてＳ４７で処理番号Ｎを１追加して目標ゾーンをゾーン０とし、Ｓ３３へ進む。同様に立下りエッジが検出され、現在位置がゾーン０であればＳ３９へ進み試し書きを開始して、Ｓ４７へ進み、処理番号Ｎを１追加して目標ゾーンをゾーン５とし、Ｓ３３へ進む。同様に立下りエッジが検出され、現在位置がゾーン５であればＳ４０へ進み試し書きを終了し、処理番号Ｎを１追加して目標ゾーンをゾーン０とし、Ｓ３３へ進む。同様に立下りエッジが検出され、現在位置がゾーン０であればＳ４１へ進み試し書きした領域の再生を開始し、処理番号Ｎを１追加して目標ゾーンをゾーン５とし、Ｓ３３へ進む。同様に立下りエッジが検出され、現在位置がゾーン５であればＳ４２へ進み試し書きした領域の再生を終了し、Ｓ４３へ進む。Ｓ４３でゾーン０からゾーン５までの各々のゾーンの最適記録レーザーパワー値をシステム制御コントローラ６で演算して求め、それらの値を記憶装置８に記憶する。
【００５６】
続いてＳ４７で処理番号Ｎを１追加して目標ゾーンをゾーン０とし、Ｓ３３へ進む。同様に立下りエッジが検出され、現在位置がゾーン０であればＳ４４へ進みゾーン０の最適記録レーザーパワー値で所望の情報記録を開始し、処理番号Ｎを１追加して目標ゾーンをゾーン４とし、Ｓ３３へ進む。同様に立下りエッジが検出され、現在位置がゾーン４であり、かつ、記録終了位置になるまではＳ４５へ進み、立下りエッジの検出と同時にシステム制御コントローラ６が記憶装置８から読み出した各々のゾーンの最適記録レーザーパワー値に切り替えて所望の情報記録を継続し、処理番号Ｎを１追加してＳ３３へ進む。同様に立下りエッジが検出され、現在位置がゾーン４であり、かつ、記録終了位置であればＳ４６へ進み所望の情報記録を終了し再びＳ２へ進み、次の記録命令が発行されるのを待つ。
【００５７】
上記の場合、Ｓ４４からＳ４６までの間に記録される所望の情報は、ゾーン０の位置から記録が開始され、ゾーン１、ゾーン２、ゾーン３、ゾーン４、ゾーン５を超えてさらにゾーン０、ゾーン１、ゾーン２、ゾーン３、ゾーン４の位置まで記録されて終了する例を説明している。この場合に試し書きは、Ｓ３９で開始されてＳ４０で終了するまでに、所望の情報の記録範囲（ゾーン０からゾーン１、ゾーン２、ゾーン３、ゾーン４、ゾーン５まで）の各ゾーンの試し書き領域（０ＰＣＡ、１ＰＣＡ、２ＰＣＡ、３ＰＣＡ、４ＰＣＡ、５ＰＣＡ）に行われ、Ｓ４１からＳ４２までの間に試し書きした領域（０ＰＣＡ、１ＰＣＡ、２ＰＣＡ、３ＰＣＡ、４ＰＣＡ、５ＰＣＡ）の再生が行われる。
【００５８】
以上のように実施の形態２によれば、ディスク１周内の記録条件のばらつきを吸収し、分割した回転角方向ゾーンの各ゾーンに最適な記録レーザーパワー値を精度良く求め、それを用いて所望の情報の記録を行うので、高品質に記録できる。
【００５９】
なお、ＦＧ信号がディスク１周につき６パルスとしたが、このパルス数に限るものではない。またエッジ検出を立下りとしたが、立上がり、あるいは両エッジとしても良い。
【００６０】
また、試し書き領域を、ディスクの最内周としたが、ディスクの最外周であってもよい。
【００６１】
また、現在の規格では存在しないが、光ディスク１が回転角方向に分割され複数の回転角方向ゾーンを有する円盤状の記録媒体である場合に、上記の実施の形態２と同様の効果が得られる記録方法について説明する。この場合、ディスク上のアドレスがどのゾーンに属するのかが規定されているものとする。図６のように１周が６分割された場合の光ディスク１の一例と図７のフローチャートとを用いて説明する。図６はＦＧ信号がディスク１周につき６パルス出力される時の例で、この６パルスについて1パルス毎に０〜５までの回転角方向のゾーン番号を付与する。図６において、０ＰＣＡ〜５ＰＣＡはそれぞれゾーン０〜５のＰＣＡ（試し書き領域）である。なお、試し書き領域を、ディスクの最内周としているが、ディスクの最外周であってもよい。
【００６２】
図７のＳ３１でディスクモータ４を回転させＦＧ生成部９でＦＧ信号を生成し、Ｓ１へ進む。Ｓ１で光ディスク１がこの記録装置に最初に挿入されたときに、この光ディスク１の種類を判別し、その識別情報を記憶装置８に保存し、Ｓ７１へ進む。Ｓ７１で、Ｓ１の判別結果が回転角方向にゾーン分割されたディスクでない場合はＳ２へ進む。以降は実施の形態２と同様である。一方、Ｓ７１で、Ｓ１の判別結果が回転角方向にゾーン分割されたディスクの場合はＳ７２へ進む。Ｓ７２で回転角方向ゾーンを有するディスクのゾーン区切りアドレスと、ＦＧ信号のエッジ位置に基づいて分割されるゾーンの区切りアドレスとの差分をシステム制御コントローラ６で演算してその結果を記憶装置８に保存し、Ｓ２へ進む。以降の動作においてアドレスの差分を補正する以外は実施の形態２と同様である。
【００６３】
（実施の形態３）
図８は実施の形態２において、ＦＧ生成部９から生成されるＦＧ信号を逓倍器１１によって逓倍し、その逓倍されたＦＧ信号のエッジをエッジ検出部１０が検出することで、最適記録レーザーパワー値の学習精度をさらに向上させる構成のブロック図を示す。逓倍器１１以外の処理の流れは、実施の形態２と同じであるため説明を省略する。
【００６４】
図９のフローチャートはＳ４８で逓倍器１１によってＦＧ信号を２逓倍する場合の例を示す。逓倍工程以外の処理の流れは、実施の形態２と同じであるため説明を省略する。
【００６５】
図１０中のＦＧ信号（２逓倍後）は、分割する領域を増やす方法の一つとして、逓倍器１１を介してＦＧ信号を２逓倍したときのＦＧ信号を示している。ＦＧ信号を２逓倍することで、ディスク１周は６ゾーンから１２ゾーンに増加する。図１０において、逓倍前の６ゾーンのディスクおよびＦＧ信号（逓倍前）は実施の形態２の場合であり、逓倍後の１２ゾーンのディスクおよびＦＧ信号（２逓倍後）が実施の形態３の場合の例である。
【００６６】
なお、２逓倍を例に示したが、この逓倍数に限るものではなく、３逓倍以上でもよい。
【００６７】
以上のように実施の形態３によれば、ディスク１周内の記録条件のばらつきを吸収し、分割した回転角方向ゾーンの各ゾーンに最適な記録レーザーパワー値を実施の形態２よりもさらに精度良く求め、それを用いて所望の情報の記録を行うので、さらに高品質に記録できる。
【００６８】
（実施の形態４）
実施の形態４の記録装置の構成は実施の形態１の構成に、ディスクモータ４の信号を基にディスクモータ４より生成される角回転位置を示す矩形波状のＦＧ信号を生成するＦＧ生成部９と、ＦＧ信号のエッジを検出するエッジ検出部１０を追加して備えているが、外見上は実施の形態２で用いた図４と同様である。
【００６９】
図１２はＦＧ信号がディスク１周につき６パルス出力される時の例で、この６パルスについて1パルス毎に０〜５までの回転角方向のゾーン番号を付与し、さらに径方向にゾーンを２分割する。このように分割された内周側のゾーンが０ｉｎ〜５ｉｎ、外周側のゾーンが０ｏｕｔ〜５ｏｕｔである。また、０ＰＣＡ〜５ＰＣＡは内周側のゾーンのＰＣＡ（試し書き領域）であり、０ＯＰＣＡ〜５ＯＰＣＡは外周側のゾーンのＰＣＡ（試し書き領域）である。
【００７０】
この記録装置における光ディスク１への所望の情報記録時のＯＰＣに関する処理を図１１のフローチャートと図４のブロック図で説明する。
【００７１】
図１１のＳ３１でディスクモータ４を回転させＦＧ生成部９でＦＧ信号を生成し、Ｓ１へ進む。Ｓ１で光ディスク１がこの記録装置に最初に挿入されたときに、この光ディスク１の種類を判別し、その識別情報と外周側ＰＣＡ（試し書き領域）の有無の判別結果を記憶装置８に保存し、Ｓ４９へ進む。Ｓ４９で現在挿入されている光ディスク１に対して過去に最適記録レーザーパワー値を求めたか否かを判別するための処理番号Ｊを初期化し、Ｓ２へ進む。Ｓ２でシステム制御コントローラ６から記録命令が発行されるまで待つ。Ｓ２でシステム制御コントローラ６から記録命令が発行され、Ｓ５０へ進み、現在挿入されている光ディスク１に対して過去に最適記録レーザーパワー値を求めたことがある場合（Ｊ＝１）はＳ５１へ進み、すぐに所望の情報記録ができるように処理番号Ｎを６とし、Ｓ３３へ進む。実施の形態２と同様にして所望の情報記録を行う。この時の最適記録レーザーパワー値は、過去に求めた最適記録レーザーパワー値を記憶装置８から読み出して用いる。所望の情報記録が終了すればＳ６０へ進み、最適記録レーザーパワー値を求めたことを示す処理番号Ｊを１にして再びＳ２へ進み、次の記録命令が発行されるのを待つ。
【００７２】
一方、現在挿入されている光ディスク１に対して過去に最適記録レーザーパワー値を求めたことがない場合（Ｊ＝０）は、Ｓ３２で最適記録レーザーパワーを求めるように処理番号Ｎを初期化し、さらにＳ５２で内周と外周を判別するための処理番号Ｋを初期化し、Ｓ５３へ進む。Ｓ５３では、まず内周側ＰＣＡの分割したすべてのゾーン（図１２の０ＰＣＡ乃至５ＰＣＡ）で試し書きを行うためＳ５４へ進み内周側ＰＣＡへ光ピックアップ２を移動して、Ｓ３３へ進む。実施の形態２と同様にして内周側ＰＣＡの分割したすべてのゾーンの最適記録レーザーパワー値をシステム制御コントローラ６で演算して求め、それらの値を記憶装置８に記憶し、Ｓ５８へ進む。Ｓ５８で内周側ＰＣＡでの最適記録レーザーパワー値を求め終わったのでＳ５９へ進み、外周側ＰＣＡで試し書きを行うように処理番号Ｋを１にし、Ｓ５３へ進む。
【００７３】
Ｓ５３で外周側ＰＣＡで試し書きを行うときは、まずＳ５５で外周側ＰＣＡの有無を確認し、ない場合はＳ３３へ進み実施の形態２と同様にして所望の情報記録を行い、所望の情報記録が終了すればＳ６０へ進み、最適記録レーザーパワー値を求めたことを示す処理番号Ｊを１にして再びＳ２へ進み、次の記録命令が発行されるのを待つ。
【００７４】
一方、外周側ＰＣＡがある場合はＳ５６へ進み、外周側ＰＣＡへ光ピックアップ２を移動し、Ｓ５７へ進み、外周側ＰＣＡの分割したすべてのゾーン（図１２の０ＯＰＣＡ乃至５ＯＰＣＡ）で試し書きを行うため処理番号Ｎを０にし、Ｓ３３へ進む。実施の形態２と同様にして外周側ＰＣＡの分割したすべてのゾーンの最適記録レーザーパワー値をシステム制御コントローラ６で演算して求め、それらの値を記憶装置８に記憶し、所望の情報記録を行う。各ゾーンの最適記録レーザーパワー値は、各ゾーン内にあるＰＣＡから求められた値とする。例えば、図１２のゾーン０ｉｎの最適記録レーザーパワー値は０ＰＣＡで求めた値、３ｏｕｔの最適記録レーザーパワー値は３ＯＰＣＡで求めた値とする。所望の情報記録が終了すればＳ６０へ進み、最適記録レーザーパワー値を求めたことを示す処理番号Ｊを１にして再びＳ２へ進み、次の記録命令が発行されるのを待つ。
【００７５】
以上のように実施の形態４によれば、光ディスク１の径方向に２分割および回転角方向に複数に分割した各ゾーンに最適な記録レーザーパワー値を精度良く求めることができるので、所望の情報を高品質に記録できる。また、同一の光ディスク１に対する２度目以降の所望の情報記録時には、保存されていた最適記録レーザーパワー値を使用することにより、使用回数に限度がある試し書き領域（ＰＣＡ）を有効利用できると同時に記録時間の短縮ができる。
【００７６】
なお、ＦＧ信号がディスク１周につき６パルスとしたが、このパルス数に限るものではない。またエッジ検出を立下りとしたが、立上がり、あるいは両エッジとしても良い。
【００７７】
（実施の形態５）
実施の形態５の記録装置の構成は実施の形態４の構成に、ＦＧ生成部から生成されるＦＧ信号を逓倍器する逓倍器を追加して備えているが、外見上は実施の形態３で用いた図８と同様である。
【００７８】
図１３のフローチャートはＳ４８で逓倍器によってＦＧ信号を２逓倍する場合の例を示す。逓倍工程以外の処理の流れは、実施の形態４と同じであるため説明を省略する。
【００７９】
図１４中のＦＧ信号（２逓倍後）は、分割する領域を増やす方法の一つとして、逓倍器１１を介してＦＧ信号を２逓倍したときのＦＧ信号を示している。ＦＧ信号を２逓倍することで、ディスク１周は６ゾーンから１２ゾーンに増加し、ディスク全体としては１２ゾーンから２４ゾーンに増加する。図１４において、逓倍前の１２ゾーンのディスクおよびＦＧ信号（逓倍前）は実施の形態４の場合であり、逓倍後の２４ゾーンのディスクおよびＦＧ信号（２逓倍後）が実施の形態５の場合の例である。
【００８０】
なお、２逓倍を例に示したが、この逓倍数に限るものではなく、３逓倍以上でもよい。
【００８１】
以上のように実施の形態５によれば、逓倍器１１を設けたことにより光ディスク１の回転角方向にゾーンをより多く分割し、各ゾーンに最適な記録レーザーパワー値を実施の形態４よりもさらに精度良く求め、それを用いて所望の情報の記録を行うので、さらに高品質に記録できる。
【００８２】
（実施の形態６）
実施の形態６の記録装置の構成は実施の形態４の構成と同様で、外見上は実施の形態２で用いた図４と同様である。
【００８３】
図１６は、図１２同様に示され、ＦＧ信号がディスク１周につき６パルス出力される時の例で、この６パルスについて1パルス毎に０〜５までの回転角方向のゾーン番号を付与し、さらに径方向にゾーンを２分割する。
【００８４】
この記録装置における光ディスク１への所望の情報記録時に、記録開始位置と記録終了位置に応じてＯＰＣを行う領域を切り替える処理を図１５のフローチャートと図４のブロック図と図１６を用いて説明する。
【００８５】
図１５のＳ３８で使用済み領域の位置を保存する工程までは実施の形態４と同じである。Ｓ３８で使用済み領域の位置を保存し、Ｓ６１へ進み、現在挿入されている光ディスク１がＣＤ−Ｒでない場合、Ｓ４７へ進み、実施の形態４と同様の処理を行う。
【００８６】
一方、現在挿入されている光ディスク１がＣＤ−Ｒの場合、Ｓ６２へ進み、記録要求されたゾーンのＰＣＡが使えるか否かを判別する。ここで記録する位置がどのゾーンに属するかはシステム制御コントローラ６で演算するか、あるいは、あらかじめ位置とゾーンの関係を記憶装置８に記憶しておく。ＰＣＡが使用できる場合はＳ４７へ進み、実施の形態４と同様の処理を行う。一方、例えば図１６の０ｉｎの斜線部に記録要求された場合、０ｉｎ内の試し書き領域である０ＰＣＡ（点線部）は過去の試し書きで全ての領域が使用済みとなっているので、Ｓ６３へ進み、使用できないＰＣＡである０ＰＣＡを記憶装置８に記憶し、試し書きは近傍ＰＣＡである１ＰＣＡで行うようにして、Ｓ４７へ進み、実施の形態４と同様の処理を行う。なお、記録要求が０ｉｎと１ｉｎにまたがる場合は、１ＰＣＡで試し書きを１回行って求められた最適記録レーザーパワー値を０ｉｎと１ｉｎの両ゾーンの記録時に用いる。また、０ＰＣＡに対する近傍ＰＣＡを１ＰＣＡとしたが、５ＰＣＡとしても良い。
【００８７】
なお前述の処理において、光ディスク１が書き換え不可能なディスクであるＣＤ−Ｒの場合には、実施の形態１や実施の形態２の場合と同様に、所望の情報が記録されるゾーン内の試し書き領域に対し試し書きを行い最適記録レーザーパワー値を求めるものとし、その試し書き領域が使用済みのときにＳ６３での設定によって近傍の試し書き領域を用いるようにするものである。一方、光ディスク１がＣＤ−Ｒではなく書き換え可能なディスクの場合には、すべてのゾーン内の試し書き領域に対し試し書きを行い最適記録レーザーパワー値を求めるものとする。
【００８８】
以上のように実施の形態６によれば、光ディスク１が書き換え不可能なディスクであるＣＤ−Ｒの場合に、分割した任意のゾーン内の試し書き領域で試し書きができないときでも、近傍の回転角方向に分割した試し書き領域で試し書きを行うことができるので、分割した回転角方向の記録条件の差が小さくなり、高品質に所望の情報を記録できる。
【００８９】
（実施の形態７）
実施の形態７の記録装置の構成は実施の形態２の構成と同様の図４で示される。
【００９０】
図１７は、図６と同様に示され、ＦＧ信号がディスク１周につき６パルス出力される時の例で、この６パルスについて1パルス毎に０〜５までの回転角方向のゾーン番号を付与する。
【００９１】
この記録装置における光ディスク１への所望の情報記録時に、記録開始位置と記録終了位置に応じてＯＰＣを行う領域を切り替える処理を図１５のフローチャートと図１７を用いて説明する。
【００９２】
実施の形態７では、図１５のフローチャートにおいて処理番号Ｋに関する工程であるＳ５２とＳ５３とＳ５５とＳ５６とＳ５７とＳ５８とＳ５９を除き、それ以外の工程を実施の形態６と同様に処理する。
【００９３】
以上のように実施の形態７によれば、実施の形態６同様、光ディスク１が書き換え不可能なディスクであるＣＤ−Ｒの場合に、分割した任意のゾーン内の試し書き領域で試し書きができないときでも、近傍の回転角方向に分割した試し書き領域で試し書きを行うことができるので、分割した回転角方向の記録条件の差が小さくなり、高品質に所望の情報を記録できる。
【００９４】
（実施の形態８）
実施の形態８の記録装置の構成は、実施の形態６の構成に、ＦＧ生成部９から生成されるＦＧ信号を逓倍する逓倍器１１を追加して備えているが、外見上は実施の形態３で用いた図８と同様である。
【００９５】
図１８のフローチャートは、実施の形態６で用いた図１５にＳ４８の工程を挿入したものであり、Ｓ４８で逓倍器１１によってＦＧ信号を２逓倍する場合の例を示す。この逓倍工程以外の処理の流れは、実施の形態６と同じであるため説明を省略する。
【００９６】
２逓倍したときのＦＧ信号とディスク上の分割したゾーンとの関係は図１４と同じため説明を省略する。
【００９７】
なお、２逓倍を例に示したが、この逓倍数に限るものではなく、３逓倍以上でもよい。
【００９８】
この実施の形態８によれば、任意の整数で逓倍されたＦＧ信号のエッジ位置に基づいて回転角方向に分割された小さなゾーンとすることにより、各ゾーンに最適な記録レーザーパワー値をさらに精度良く求めることができ、所望の情報をさらに高品質に記録できる。また、光ディスク１が書き換え不可能なディスクであるＣＤ−Ｒの場合に、分割した任意のゾーン内の試し書き領域で試し書きができないときでも、近傍の回転角方向に細かく分割した試し書き領域で試し書きを行うことができるので、分割した回転角方向の記録条件の差がさらに小さくなり、高品質に所望の情報を記録できる。
【００９９】
また、前述の実施の形態８では、実施の形態６の構成に、逓倍器１１（逓倍工程Ｓ４８）を追加した構成としたが、同様にして、実施の形態７の構成に、逓倍器１１（逓倍工程Ｓ４８）を追加した構成とすることができる。この場合、図１８のフローチャートにおいて処理番号Ｋに関する工程であるＳ５２とＳ５３とＳ５５とＳ５６とＳ５７とＳ５８とＳ５９を除き、それ以外の工程を前述の実施の形態８と同様に処理する。また、２逓倍したときのＦＧ信号とディスク上の分割したゾーンとの関係は図１０と同じになる。この場合も逓倍数は２逓倍に限るものではなく、３逓倍以上でもよいことは言うまでもない。
【０１００】
なお、本発明は、上述した実施の形態に限定されるものではなく、種々の態様が可能である。
【産業上の利用可能性】
【０１０１】
本発明にかかる記録装置および記録方法は、記録媒体の色素の塗りむらや反りなどの物理特性のばらつきに関係なく、常に情報記録時の最適記録レーザーパワー値を得て高品質の記録ができ、ＣＤ−ＲやＣＤ−ＲＷなどの光ディスク等の記録装置および記録方法等として有用である。
【図面の簡単な説明】
【０１０２】
【図１】本発明の実施の形態１の記録装置の構成を示すブロック図
【図２】図１の記録装置において、光ディスクへの情報記録時のＯＰＣに関する処理を示すフローチャート
【図３】本発明の実施の形態１で光ディスクの記録領域を２分割した場合の一例を示す図
【図４】本発明の実施の形態２の記録装置の構成を示すブロック図
【図５】図４の記録装置において、光ディスクへの情報記録時のＯＰＣに関する処理を示すフローチャート
【図６】本発明の実施の形態２の一例で光ディスクの１周を６分割した場合のディスク領域とＦＧ信号を示す図
【図７】図４の記録装置において、光ディスクへの情報記録時に、記録開始位置と記録終了位置に応じてＯＰＣを行う領域を切り替える処理の他の例を示すフローチャート
【図８】本発明の実施の形態３の記録装置の構成を示すブロック図
【図９】図８の記録装置において、光ディスクへの情報記録時に、記録開始位置と記録終了位置に応じてＯＰＣを行う領域を切り替える処理を示すフローチャート
【図１０】本発明の実施の形態３で分割したディスク領域と逓倍器を介してＦＧ信号を２逓倍したときのＦＧ信号の一例を示す図
【図１１】本発明の実施の形態４の光ディスクへの情報記録時に、記録開始位置と記録終了位置に応じてＯＰＣを行う領域を切り替える処理を示すフローチャート
【図１２】本発明の実施の形態４の一例で光ディスクの１周を６分割し、径方向に２分割した場合のディスク領域とＦＧ信号を示す図
【図１３】本発明の実施の形態５の光ディスクへの情報記録時に、記録開始位置と記録終了位置に応じてＯＰＣを行う領域を切り替える処理を示すフローチャート
【図１４】本発明の実施の形態５で分割したディスク領域と逓倍器を介してＦＧ信号を２逓倍したときのＦＧ信号の一例を示す図
【図１５】本発明の実施の形態６の光ディスクへの情報記録時に、記録開始位置と記録終了位置に応じてＯＰＣを行う領域を切り替える処理を示すフローチャート
【図１６】本発明の実施の形態６の一例で光ディスクの１周を６分割し、径方向に２分割した場合のディスク領域とＦＧ信号を示す図
【図１７】本発明の実施の形態７の一例で光ディスクの１周を６分割した場合のディスク領域とＦＧ信号を示す図
【図１８】本発明の実施の形態８の光ディスクへの情報記録時に、記録開始位置と記録終了位置に応じてＯＰＣを行う領域を切り替える処理を示すフローチャート
【図１９】本発明の実施の形態１〜８において最適記録レーザーパワー値の求め方の一例を説明するための図
【符号の説明】
【０１０３】
１：光ディスク
２：光ピックアップ
３：信号処理部
４：ディスクモータ
５：回転制御部
６：システム制御コントローラ
７：レーザー駆動回路
８：記憶装置
９：ＦＧ生成部
１０：エッジ検出部
１１：逓倍器
３１：内周側ＰＣＡ
３２：内周側記録領域
３３：外周側記録領域
３４：外周側ＰＣＡ
【図１】
2005209241.tif 000003
【図２】
2005209241.tif 000004
【図３】
2005209241.tif 000005
【図４】
2005209241.tif 000006
【図５】
2005209241.tif 000007
【図６】
2005209241.tif 000008
【図７】
2005209241.tif 000009
【図８】
2005209241.tif 000010
【図９】
2005209241.tif 000011
【図１０】
2005209241.tif 000012
【図１１】
2005209241.tif 000013
【図１２】
2005209241.tif 000014
【図１３】
2005209241.tif 000015
【図１４】
2005209241.tif 000016
【図１５】
2005209241.tif 000017
【図１６】
2005209241.tif 000018
【図１７】
2005209241.tif 000019
【図１８】
2005209241.tif 000020
【図１９】
2005209241.tif 000021